(57)【要約】【課題】一貫した基準で使用者が眼科用レンズパッケージの内容物に容易に接近することのできる該眼科用レンズパッケージを提供する。【解決手段】破壊可能な小袋を備えた眼科用レンズパッケージおよびパッケージの使用方法。第１の頂部端および第１の底部端を有する第１の側方部材と、第２の頂部端および第２の底部端を有する第２の側方部材と、第１の端部、第２の端部および２つの破壊可能な側方部分を有する小袋部材とを備えている、眼科用レンズを囲い込むためのパッケージ。【選択図】図１
2009510524.tif 000002
【特許請求の範囲】
【請求項１】
眼科用レンズを囲い込むためのパッケージにおいて、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部、および２つの破壊可能な側方部分、を有する小袋部材、を備え、
前記小袋部材の前記第１の端部と前記第１の側方部材の前記第１の頂部端とは付着されており、かつ、前記小袋部材の前記第２の端部と前記第２の側方部材の前記第２の頂部端とは付着されており、
前記パッケージが閉鎖されているとき、前記２つの破壊可能な側方部分は、付着されており、前記第１の端部と前記第２の端部とは、相互に付着されており、前記小袋部材は、前記第１の側方部材と前記第２の側方部材との間に囲い込まれており、かつ、前記小袋部材は、前記眼科用レンズと前記眼科用レンズのパッケージング溶液とを囲い込んでおり、
前記パッケージが開放されるとき、前記２つの破壊可能な側方部分は、分離し、前記第１の端部と前記第２の端部とは、互いから分離し、前記小袋部材の内部に入っている前記眼科用レンズは、使用者に提供される、パッケージ。
【請求項２】
請求項１に記載のパッケージにおいて、
前記第１の頂部端および前記第２の頂部端は、移動可能なように取り付けられている、パッケージ。
【請求項３】
請求項１に記載のパッケージにおいて、
前記第１の側方部材および前記第２の側方部材は、方形空胴である、パッケージ。
【請求項４】
請求項１に記載のパッケージにおいて、
前記パッケージをどのように開放するかについての、印刷された使用説明書または図解された使用説明書、
を更に備える、パッケージ。
【請求項５】
請求項１に記載のパッケージにおいて、
前記パッケージをどのように開放し、前記眼科用レンズをどのように挿入するのかについての、印刷された使用説明書または図解された使用説明書、
を更に備える、パッケージ。
【請求項６】
眼科用レンズを囲い込むためのパッケージにおいて、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部、２つのシーリング領域、および２つの破壊可能な側方部分、を有する小袋部材、を備え、
前記小袋部材の前記第１の端部と前記第１の側方部材の前記第１の頂部端とは、付着されており、かつ、前記小袋部材の前記第２の端部と前記第２の側方部材の前記第２の頂部端とは、付着されており、
前記パッケージが閉鎖されているとき、前記２つの破壊可能な側方部分は、付着されており、前記２つのシーリング領域は、相互に付着されており、前記小袋部材は、前記第１の側方部材と前記第２の側方部材との間に囲い込まれており、かつ、前記小袋部材は、前記眼科用レンズと前記眼科用レンズのパッケージング溶液とを囲い込んでおり、
前記パッケージが開放されるとき、前記２つの破壊可能な側方部分は、分離し、前記２つのシーリング領域は、互いから分離し、前記小袋部材の内部に入っている前記眼科用レンズは、使用者に提供される、パッケージ。
【請求項７】
請求項６に記載のパッケージにおいて、
前記第１の側方部材および前記第２の側方部材は、方形空胴である、パッケージ。
【請求項８】
請求項６に記載のパッケージにおいて、
前記パッケージをどのように開放するかについての、印刷された使用説明書または図解された使用説明書、
を更に備える、パッケージ。
【請求項９】
請求項６に記載のパッケージにおいて、
前記パッケージをどのように開放し、前記眼科用レンズをどのように挿入するかについての、印刷された使用説明書または図解された使用説明書、
を更に備える、パッケージ。
【請求項１０】
眼科用レンズをパッケージする方法において、
パッケージの小袋部材の中に眼科用レンズおよび眼科用レンズのパッケージング溶液を挿入することであって、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部および２つの破壊可能な側方部分を有する小袋部材、を備える、
挿入することと、
前記小袋部材の前記第１の端部を前記第１の側方部材の前記第１の頂部端にシールし、前記小袋部材の前記第２の端部を前記第２の側方部材の前記第２の頂部端にシールすることと、
前記小袋部材の前記第１の端部と前記第２の端部とを互いにシールすることと、
を含む、方法。
【請求項１１】
眼科用レンズをパッケージする方法において、
パッケージの小袋部材の中に眼科用レンズおよび眼科用レンズのパッケージング溶液を挿入することであって、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部、２つのシーリング領域、および２つの破壊可能な側方部分、を有する小袋部材、を備える、
挿入することと、
前記２つのシーリング領域をシールすることと、
前記小袋部材の前記第１の端部を前記第１の側方部材の前記第１の頂部端にシールし、前記小袋部材の前記第２の端部を前記第２の側方部材の前記第２の頂部端にシールすることと、
を含む、方法。
【請求項１２】
眼科用レンズを使用者の眼の中に挿入する方法において、
パッケージを開放することであって、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部、および２つの破壊可能な側方部分、を有する小袋部材、を備え、
前記小袋部材の前記第１の端部と前記第１の側方部材の前記第１の頂部端とは、付着されており、かつ、前記小袋部材の前記第２の端部と前記第２の側方部材の前記第２の頂部端とは、付着されており、
前記パッケージが閉鎖されているとき、前記２つの破壊可能な側方部分は、付着されており、前記第１の端部と前記第２の端部とは、相互に付着されており、前記小袋部材は、前記第１の側方部材と前記第２の側方部材との間に囲い込まれており、かつ、前記小袋部材は、前記眼科用レンズと前記眼科用レンズのパッケージング溶液とを囲い込んでおり、
前記パッケージを開放するとき、前記２つの破壊可能な側方部分は、分離し、前記第１の端部および前記第２の端部は、互いから分離し、前記小袋部材の内部に入っている前記眼科用レンズは、使用者に提供される、
開放することと、
前記眼科用レンズを前記使用者の眼の中に挿入することと、
を含む、方法。
【請求項１３】
眼科用レンズを使用者の眼の中に挿入する方法において、
パッケージを開放することであって、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部、２つのシーリング領域、および２つの破壊可能な側方部分、を有する小袋部材、を備え、
前記小袋部材の前記第１の端部と前記第１の側方部材の前記第１の頂部端とは、付着されており、かつ、前記小袋部材の前記第２の端部と前記第２の側方部材の前記第２の頂部端とは、付着されており、
前記パッケージが閉鎖されているとき、前記２つの破壊可能な側方部分は、付着されており、前記２つのシーリング領域は、相互に付着されており、かつ、前記小袋部材は、前記第１の側方部材と前記第２の側方部材との間に囲い込まれており、かつ、前記小袋部材は、前記眼科用レンズと前記眼科用レンズのパッケージング溶液とを囲い込んでおり、
前記パッケージを開放するとき、前記２つの破壊可能な側方部分は、分離し、前記２つのシーリング領域は、互いから分離し、前記小袋部材の内部に入っている前記眼科用レンズは、使用者に提供される、
開放することと、
前記眼科用レンズを前記使用者の眼の中に挿入することと、
を含む、方法。
【発明の詳細な説明】
【開示の内容】
【０００１】
本発明は、眼科用レンズパッケージに関し、更に詳しくは、眼科用レンズパッケージの内容物に対する接近可能性(accessibility)が改善されるように構成された該パッケージに関する。
【０００２】
〔発明の背景〕
コンタクトレンズ、眼内レンズ、オーバーレイレンズ(overlay lenses)、および、とりわけ、使い捨てコンタクトレンズを含む眼科用レンズは、従来、「ブリスターパック(blister pack)」中にパッケージされてきた。一般に、ブリスターパックは、硬質プラスチック（例えば、ポリプロピレン）と、眼科用レンズを収容するための凹状に成形された容器と、典型的には、ラミネート材（例えば、金属箔）で作られた、可撓性カバーであって、レンズが封じ込められる容器に取り外し可能なように取り付けられる、可撓性カバーと、を備えている。各々のブリスターパックの内部には、単一の眼科用レンズと、眼科用レンズの乾燥を防止し、かつ、眼科用レンズを直ちに使用することができる状態に保持するのに十分な量のコンタクトレンズ用溶液とが存在する。従来のブリスターパックは、眼科用レンズを輸送し保管するのに都合の良い手段を多くの使用者に提供するものの、コンタクトレンズ用溶液から眼科用レンズを取り出すのに苦労する使用者もあり、また、それらのレンズは、パッケージから取り出す間に損傷する。更に、レンズは、しばしばラミネートの内面に張り付くことがあり、使用者がそれらのパッケージを開く時、損傷するか、または、紛失することがある。したがって、一貫した基準で使用者が眼科用レンズパッケージの内容物に容易に接近することのできる眼科用レンズパッケージの必要性が存在する。この必要性は、以下の発明によって達成される。
【０００３】
本発明のいっそう完全な理解を得るために、添付図面に関連して考慮される典型的な具体例に関する次の詳細な記述に言及する。
【０００４】
〔発明の詳細な記述〕
本発明は、眼科用レンズを囲い込むためのパッケージにおいて、
パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
パッケージは、第１の端部、第２の端部、および２つの破壊可能な側方部分を有する小袋部材を備え、
前記小袋部材の前記第１の端部と前記第１の側方部材の前記第１の頂部端とは取り付けられており、かつ、前記小袋部材の前記第２の端部と前記第２の側方部材の前記第２の頂部端とは取り付けられており、
前記パッケージが閉鎖されているとき、前記２つの破壊可能な側方部分は取り付けられており、前記第１の端部と前記第２の端部とは相互に取り付けられており、前記小袋部材は前記第１の側方部材と前記第２の側方部材との間に囲い込まれており、かつ、前記小袋部材は前記眼科用レンズと眼科用レンズのパッケージング溶液とを囲い込んでおり、
前記パッケージが開放されるとき、前記２つの破壊可能な側方部分は分離し、前記第１の端部と前記第２の端部とは互いから分離し、前記小袋部材の内部に入っている前記眼科用レンズは使用者に提供される、パッケージを含む。
【０００５】
図１、図２および図３は、第１の側方部材(side member)１２と、第２の側方部材１４と、コンタクトレンズ２０が入っている小袋(pouch)１８と、コンタクトレンズ用パッケージング溶液（図示されていない）とを備えた眼科用レンズパッケージ１０を例示する。第１の側方部材１２は、第１の底端部３０および第２の底端部３２において、側方部材１４に旋回可能に(pivotally)取り付けられている。図示される第１および第２の側方部材の各々は方形空胴であるが、いかなる形状も適切である。各々の側方部材は、小袋１８が開放されるときに放出されるパッケージング溶液を入れるための空洞を有することが好ましい。しかし、側方部材は、開放時に小袋から放出されるパッケージング溶液を含有するための吸収性部材を有する平坦な部分品である場合もあり得ることが意図されている。図１、図２および図３Ａを参照すると、パッケージ１０が閉鎖されているとき、第１の端部２４と第２の端部２８とは付着されて(attached)おり、かつ、２つの破壊可能な側方部分３４が、コンタクトレンズ用溶液中のコンタクトレンズ２０を囲い込むように付着されている。閉鎖位置で、第１の端部２４と第２の端部２８とは、相互に付着されていることに加えて、それぞれ、第１の頂部端２２および第２の頂部端２６に付着されている。第１の頂部端２２および第２の頂部端２６は互いに近接しており、閉鎖位置で相互にシールされることが好ましい。図２は、部分的に開放されたパッケージを例示する。このパッケージは、矢印３６および３８によって示される方向に、旋回式に開放されている。小袋が開放されて眼科用レンズが露呈されるにつれて、第１の端部２４、第２の端部２８および２つの破壊可能な側方部分３４は分離する。図４は、完全に開放されたパッケージを示しており、パッケージング溶液の一部または全ては、開放時に小袋から流出し、第１および第２の側方部材の中に入っている。眼科用レンズ２０は、使用者が挿入するために、開放された小袋の上に提供される。
【０００６】
本明細書で使用される「眼科用レンズ(ophthalmic lens)」とは、眼球上に存在する装置(device)であって、ソフトコンタクトレンズ、ハードコンタクトレンズ、眼内レンズ、オーバーレイレンズ、好ましくはソフトコンタクトレンズを包含するが、それらに限定されない装置をいう。小袋１８は、可撓性材料（例えば、積層材料または共押出し材料に形成された、様々なバリヤ特性およびシーリング特性を有する複数種のポリマーの組合せ）で作ることができる。２つの破壊可能な側方部分３４は、小袋の残部とは異なる材料で形成することができ、その材料は、小袋１８が開放されるとき、引き裂かれる。小袋１８は透明であることが好ましいが、必ずしも必要ではない。前記パッケージが閉鎖されるとき、パッケージ１０から前記溶液が減損するか、または蒸発するのを防止するために、かつ、パッケージ１０の内容物が、破片およびほこり粒子のような異物で汚染されるのを防止するために、第１の頂部端２２および第２の頂部端２６はシールされている。表面をシールする好ましい方法は、ヒートシール(heat sealing)である。代替的に、接着剤、誘導密封(induction sealing)または音波溶接(sonic welding)のような他の密封手段を利用してもよい。第１の頂部端および第２の頂部端は、このように、または、外部テープ(external tape)もしくは他の機構を使用することによって、シールされてもよい。
【０００７】
眼科用レンズ用パッケージング溶液は、食塩溶液、水または緩衝水溶液を包含するが、それらに限定されない。好ましいパッケージング溶液は、食塩水溶液である。パッケージング溶液は、パッケージ１０から取り出されたときに意図される形状（即ち、凸形状）および柔軟さを保持するために眼科用レンズを浸された状態に維持するのに十分な量で存在する。第１および第２の側方部材は、剛形態に形成することのできるポリマーで作ることができる。使用者が部材を通して内部の小袋まで見ることができるように、そのようなポリマーは透明であることが好ましい。
【０００８】
本発明は更に、眼科用レンズを囲い込むためのパッケージにおいて、
第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
パッケージは、
第１の端部、第２の端部、２つのシーリング領域、および２つの破壊可能な側方部分、を有する小袋部材、
を備え、
前記小袋部材の前記第１の端部と前記第１の側方部材の前記第１の頂部端とは付着されており、かつ、前記小袋部材の前記第２の端部と前記第２の側方部材の前記第２の頂部端とは付着されており、
前記パッケージが閉鎖されているとき、前記２つの破壊可能な側方部分は、付着されており、前記２つのシーリング領域は、相互に付着されており、前記小袋部材は、前記第１の側方部材と前記第２の側方部材との間に囲い込まれており、かつ、前記小袋部材は前記眼科用レンズと前記眼科用レンズのパッケージング溶液とを囲い込んでおり、
前記パッケージが開放されるとき、前記２つの破壊可能な側方部分は分離し、前記２つのシーリング領域は互いから分離し、前記小袋部材の内部に入っている前記眼科用レンズは、使用者に提供される、
パッケージ、を含む。
【０００９】
図５および図６は、第１の側方部材６２と、第２の側方部材６４と、コンタクトレンズ７０が入っている小袋６８と、（図示されていない）コンタクトレンズ用パッケージング溶液とを備えた眼科用レンズパッケージ６０を例示する。第１の側方部材６２は、第１の底端部８０および第２の底端部８２において、側方部材６４に旋回可能に取り付けられている。図示される第１および第２の側方部材の各々は方形空胴であるが、いかなる形状も適切である。各々の側方部材は、小袋６８が開放されるときに放出されるパッケージング溶液を入れるための空洞を有することが好ましい。しかし、側方部材は、開放時に小袋から放出されるパッケージング溶液を含有するための吸収性部材を有する平坦な部分品である場合もあることが意図されている。図５を参照すると、パッケージ６０が閉鎖されているとき、シーリング領域(sealing areas)３８ａおよび３８ｂが付着されており、かつ、２つの破壊可能な側方部分８４が、コンタクトレンズ用溶液中のコンタクトレンズ７０を囲い込むように付着されている。シーリング領域３８ａおよび３８ｂは、上述の諸方法のいずれかによってシールされることが可能である。第１の端部７４および第２の端部７８は、上述の諸方法のいずれかによって、それぞれ、第１の頂部端７２および第２の頂部端７６に取り付けられている。第１の頂部端７２および第２の頂部端７６は互いに近接しており、閉鎖位置で好ましくは相互にシールされる。図６は、部分的に開放されたパッケージを例示する。パッケージは、矢印８６および８８によって示される方向に、旋回式に開放されている。小袋が開放されて眼科用レンズが露呈されるにつれて、シーリング領域３８ａおよび３８ｂならびに２つの破壊可能な側方部分８４は分離する。第１の端部７４および第２の端部７８は、それぞれ、第１の頂部端７２および第２の頂部端７６に取り付けられたままである。
【００１０】
本発明は、眼科用レンズをパッケージする方法において、
パッケージの小袋部材の中に眼科用レンズおよび眼科用レンズのパッケージング溶液を挿入することであって、
パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
パッケージは、第１の端部、第２の端部、および２つの破壊可能な側方部分、を有する小袋部材、を備える、
挿入することと、
前記小袋部材の前記第１の端部を前記第１の側方部材の前記第１の頂部端にシールし、前記小袋部材の前記第２の端部を前記第２の側方部材の前記第２の頂部端にシールすることと、
前記小袋部材の前記第１の端部と前記第２の端部とを互いにシールすることと、
を含む、方法、を含む。
【００１１】
本発明は更にまた、眼科用レンズをパッケージする方法において、
パッケージの小袋部材の中に眼科用レンズおよび眼科用レンズのパッケージング溶液を挿入することであって、
パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
パッケージは、第１の端部、第２の端部、２つのシーリング領域、および２つの破壊可能な側方部分、を有する小袋部材、を備える、
挿入することと、
前記２つのシーリング領域をシールすることと、
前記小袋部材の前記第１の端部を前記第１の側方部材の前記第１の頂部端にシールし、前記小袋部材の前記第２の端部を前記第２の側方部材の前記第２の頂部端にシールすることと、
を含む、方法、を含む。
【００１２】
本発明は更に、眼科用レンズを使用者の眼の中に挿入する方法において、
パッケージを開放することであって、
パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
パッケージは、第１の端部、第２の端部、および２つの破壊可能な側方部分を有する小袋部材、を備え、
前記小袋部材の前記第１の端部と前記第１の側方部材の前記第１の頂部端とは、付着されており、かつ、前記小袋部材の前記第２の端部と前記第２の側方部材の前記第２の頂部端とは、付着されており、
前記パッケージが閉鎖されているとき、前記２つの破壊可能な側方部分は付着されており、前記第１の端部と前記第２の端部とは相互に取り付けられており、前記小袋部材は、前記第１の側方部材と前記第２の側方部材との間に囲い込まれており、前記小袋部材は、前記眼科用レンズと眼科用レンズのパッケージング溶液とを囲い込んでおり、
前記パッケージを開放するとき、前記２つの破壊可能な側方部分は分離し、前記第１の端部および前記第２の端部は、互いから分離し、前記小袋部材の内部に入っている前記眼科用レンズは使用者に提供される、
開放することと、
前記眼科用レンズを使用者の眼の中に挿入することと、
を含む、方法、を含む。
【００１３】
本発明は更にまた、眼科用レンズを使用者の眼の中に挿入する方法において、
パッケージを開放することであって、
パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
パッケージは、第１の端部、第２の端部、２つのシーリング領域、および２つの破壊可能な側方部分、を有する小袋部材、を備え、
前記小袋部材の前記第１の端部と前記第１の側方部材の前記第１の頂部端とは、付着されており、かつ、前記小袋部材の前記第２の端部と前記第２の側方部材の前記第２の頂部端とは、付着されており、
前記パッケージが閉鎖されているとき、前記２つの破壊可能な側方部分は、付着されており、前記２つのシーリング領域は、相互に付着されており、かつ、前記小袋部材は、前記第１の側方部材と前記第２の側方部材との間に囲い込まれており、かつ、前記小袋部材は、前記眼科用レンズと眼科用レンズのパッケージング溶液とを囲い込んでおり、
前記パッケージを開放するとき、前記２つの破壊可能な側方部分は分離し、前記２つのシーリング領域は互いに分離し、前記小袋部材の内部に入っている前記眼科用レンズは使用者に提供される、
開放することと、
前記眼科用レンズを前記使用者の眼の中に挿入することと、
を含む、方法、を含む。
【００１４】
本明細書に記述される諸具体例は単に典型的なものであること、ならびに、当業者が、本発明の趣旨および範囲から逸脱することなく、多くの変形および変更を行うことができることは、理解されるであろう。本発明はとりわけ、単一の眼科用レンズと所定量の溶液とを収容するのに使用されるように構成されている。しかし、本発明は、複数個の眼科用レンズとそれらのための所定量の溶液とを収容するのに利用することもできる。本発明の更なる特徴および利点は、添付図面を参照して単なる一例として与えられている、本発明の典型的な具体例に関する詳細な記述を読めば、更に明らかになるであろう。そのような変形および変更は全て、特許請求の範囲に規定される本発明の範囲内に包含されるように意図されている。
【００１５】
〔実施の態様〕
（１）眼科用レンズを囲い込むためのパッケージにおいて、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部、および２つの破壊可能な側方部分、を有する小袋部材、を備え、
前記小袋部材の前記第１の端部と前記第１の側方部材の前記第１の頂部端とは付着されており、かつ、前記小袋部材の前記第２の端部と前記第２の側方部材の前記第２の頂部端とは付着されており、
前記パッケージが閉鎖されているとき、前記２つの破壊可能な側方部分は、付着されており、前記第１の端部と前記第２の端部とは、相互に付着されており、前記小袋部材は、前記第１の側方部材と前記第２の側方部材との間に囲い込まれており、かつ、前記小袋部材は、前記眼科用レンズと前記眼科用レンズのパッケージング溶液とを囲い込んでおり、
前記パッケージが開放されるとき、前記２つの破壊可能な側方部分は、分離し、前記第１の端部と前記第２の端部とは、互いから分離し、前記小袋部材の内部に入っている前記眼科用レンズは、使用者に提供される、パッケージ。
（２）実施態様１に記載のパッケージにおいて、
前記第１の頂部端および前記第２の頂部端は、移動可能なように取り付けられている、パッケージ。
（３）実施態様１に記載のパッケージにおいて、
前記第１の側方部材および前記第２の側方部材は、方形空胴である、パッケージ。
（４）実施態様１に記載のパッケージにおいて、
前記パッケージをどのように開放するかについての、印刷された使用説明書または図解された使用説明書、
を更に備える、パッケージ。
（５）実施態様１に記載のパッケージにおいて、
前記パッケージをどのように開放し、前記眼科用レンズをどのように挿入するのかについての、印刷された使用説明書または図解された使用説明書、
を更に備える、パッケージ。
【００１６】
（６）眼科用レンズを囲い込むためのパッケージにおいて、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部、２つのシーリング領域、および２つの破壊可能な側方部分、を有する小袋部材、を備え、
前記小袋部材の前記第１の端部と前記第１の側方部材の前記第１の頂部端とは、付着されており、かつ、前記小袋部材の前記第２の端部と前記第２の側方部材の前記第２の頂部端とは、付着されており、
前記パッケージが閉鎖されているとき、前記２つの破壊可能な側方部分は、付着されており、前記２つのシーリング領域は、相互に付着されており、前記小袋部材は、前記第１の側方部材と前記第２の側方部材との間に囲い込まれており、かつ、前記小袋部材は、前記眼科用レンズと前記眼科用レンズのパッケージング溶液とを囲い込んでおり、
前記パッケージが開放されるとき、前記２つの破壊可能な側方部分は、分離し、前記２つのシーリング領域は、互いから分離し、前記小袋部材の内部に入っている前記眼科用レンズは、使用者に提供される、パッケージ。
（７）実施態様６に記載のパッケージにおいて、
前記第１の側方部材および前記第２の側方部材は、方形空胴である、パッケージ。
（８）実施態様６に記載のパッケージにおいて、
前記パッケージをどのように開放するかについての、印刷された使用説明書または図解された使用説明書、
を更に備える、パッケージ。
（９）実施態様６に記載のパッケージにおいて、
前記パッケージをどのように開放し、前記眼科用レンズをどのように挿入するかについての、印刷された使用説明書または図解された使用説明書、
を更に備える、パッケージ。
（１０）眼科用レンズをパッケージする方法において、
パッケージの小袋部材の中に眼科用レンズおよび眼科用レンズのパッケージング溶液を挿入することであって、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部および２つの破壊可能な側方部分を有する小袋部材、を備える、
挿入することと、
前記小袋部材の前記第１の端部を前記第１の側方部材の前記第１の頂部端にシールし、前記小袋部材の前記第２の端部を前記第２の側方部材の前記第２の頂部端にシールすることと、
前記小袋部材の前記第１の端部と前記第２の端部とを互いにシールすることと、
を含む、方法。
【００１７】
（１１）眼科用レンズをパッケージする方法において、
パッケージの小袋部材の中に眼科用レンズおよび眼科用レンズのパッケージング溶液を挿入することであって、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部、２つのシーリング領域、および２つの破壊可能な側方部分、を有する小袋部材、を備える、
挿入することと、
前記２つのシーリング領域をシールすることと、
前記小袋部材の前記第１の端部を前記第１の側方部材の前記第１の頂部端にシールし、前記小袋部材の前記第２の端部を前記第２の側方部材の前記第２の頂部端にシールすることと、
を含む、方法。
（１２）眼科用レンズを使用者の眼の中に挿入する方法において、
パッケージを開放することであって、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部、および２つの破壊可能な側方部分、を有する小袋部材、を備え、
前記小袋部材の前記第１の端部と前記第１の側方部材の前記第１の頂部端とは、付着されており、かつ、前記小袋部材の前記第２の端部と前記第２の側方部材の前記第２の頂部端とは、付着されており、
前記パッケージが閉鎖されているとき、前記２つの破壊可能な側方部分は、付着されており、前記第１の端部と前記第２の端部とは、相互に付着されており、前記小袋部材は、前記第１の側方部材と前記第２の側方部材との間に囲い込まれており、かつ、前記小袋部材は、前記眼科用レンズと前記眼科用レンズのパッケージング溶液とを囲い込んでおり、
前記パッケージを開放するとき、前記２つの破壊可能な側方部分は、分離し、前記第１の端部および前記第２の端部は、互いから分離し、前記小袋部材の内部に入っている前記眼科用レンズは、使用者に提供される、
開放することと、
前記眼科用レンズを前記使用者の眼の中に挿入することと、
を含む、方法。
（１３）眼科用レンズを使用者の眼の中に挿入する方法において、
パッケージを開放することであって、
前記パッケージは、第１の頂部端および第１の底部端を有する第１の側方部材、および、第２の頂部端および第２の底部端を有する第２の側方部材、を備え、
前記第１の側方部材と前記第２の側方部材とは、前記第１の底部端および前記第２の底部端において旋回可能に取り付けられており、これにより、前記第１の側方部材および前記第２の側方部材は、開放位置と閉鎖位置との間で旋回することができ、
前記パッケージは、第１の端部、第２の端部、２つのシーリング領域、および２つの壊れ易い側方部分を有する小袋部材、を備え、
前記小袋部材の前記第１の端部と前記第１の側方部材の前記第１の頂部端とは、付着されており、かつ、前記小袋部材の前記第２の端部と前記第２の側方部材の前記第２の頂部端とは、付着されており、
前記パッケージが閉鎖されているとき、前記２つの破壊可能な側方部分は、付着されており、前記２つのシーリング領域は、相互に付着されており、かつ、前記小袋部材は、前記第１の側方部材と前記第２の側方部材との間に囲い込まれており、かつ、前記小袋部材は、前記眼科用レンズと前記眼科用レンズのパッケージング溶液とを囲い込んでおり、
前記パッケージを開放するとき、前記２つの破壊可能な側方部分は、分離し、前記２つのシーリング領域は、互いから分離し、前記小袋部材の内部に入っている前記眼科用レンズは、使用者に提供される、
開放することと、
前記眼科用レンズを前記使用者の眼の中に挿入することと、
を含む、方法。
【図面の簡単な説明】
【００１８】
【図１】本発明の典型的な具体例に従って構成された、閉鎖された眼科用レンズパッケージの斜視図である。
【図２】図１の開放された眼科用レンズパッケージの斜視図である。
【図３Ａ】図１の閉鎖された眼科用レンズパッケージの側面図である。
【図３Ｂ】図１の開放された眼科用レンズパッケージの側面図である。
【図４】図１の開放された眼科用レンズパッケージの側面図である。
【図５】本発明の典型的な具体例に従って構成された、閉鎖された眼科用レンズパッケージの斜視図である。
【図６】図５の開放された眼科用レンズパッケージの斜視図である。
【図１】
2009510524.tif 000003
【図２】
2009510524.tif 000004
【図３Ａ】
2009510524.tif 000005
【図３Ｂ】
2009510524.tif 000006
【図４】
2009510524.tif 000007
【図５】
2009510524.tif 000008
【図６】
2009510524.tif 000009
【国際調査報告】
2009510524.tif 000010
2009510524.tif 000011
2009510524.tif 000012